(57)【要約】      （修正有）【課題】低コストにて容易に多重化構成を可能とする交換システムを提供する。【解決手段】多重化された電話網を収容する電話交換システムであり、交換機と、各電話網と該交換機との間に各々接続されて中継処理をなす少なくとも２つの回線処理装置と、を含み、該回線処理装置の各々は、他の回線処理装置における中継処理の動作状態を監視し、該動作状態がＯＮ状態であると検知された場合に、自身の中継処理をＯＦＦ状態に切り替える。【選択図】図１
2007060378.tif 000002
【特許請求の範囲】
【請求項１】
多重化された電話網を収容する電話交換システムであって、
交換機と、各電話網と前記交換機との間に各々接続されて中継処理をなす少なくとも２つの回線処理装置と、を含み、
前記回線処理装置の各々は、
他の回線処理装置における中継処理の動作状態を監視する監視手段と、
前記動作状態がＯＮ状態であると検知された場合に、自身の中継処理をＯＦＦ状態に切り替える第１切替手段と、
を含むことを特徴とする電話交換システム。
【請求項２】
前記回線処理装置の各々は、接続された電話網の動作状態を監視し、前記動作状態がＯＮ状態であると検知された場合に、自身の中継処理をＯＮ状態に切り替える第２切替手段をさらに含むことを特徴とする請求項１記載の電話交換システム。
【請求項３】
前記中継処理の動作状態の切替を、前記回線処理装置毎に個別に切替禁止又は切替禁止解除の何れかに設定する設定手段をさらに含み，
前記第１切替手段または第２切替手段は、他の回線処理装置の切替禁止解除を待って、自身の中継処理の動作状態を切り替えることを特徴とする請求項１又は２記載の電話交換システム。
【請求項４】
前記第１切替手段または第２切替手段は、前記回線処理装置の各々と前記交換機との間に介在するデータバスのクロック信号に同期して、前記動作状態を切り替えることを特徴とする請求項１又は２記載の電話交換システム。
【発明の詳細な説明】
【技術分野】
【０００１】
本発明は、１系を運用系とし他系を待機系とする如く信頼性確保のために多重化された電話網を収容する電話交換システムに関する。
【背景技術】
【０００２】
高速回線を収容するための交換システムの構築においては、信頼性確保のために少なくとも二重化構成が必須条件となる。特許文献１は、二重化された系間の切替時にセルの重複、欠落が生じるという課題を解決するために、両系のセル同期を確実にとることができるとする交換システムを開示している。
【特許文献１】特開平９−７４４１３号公報
【発明の開示】
【発明が解決しようとする課題】
【０００３】
しかし、かかる二重化を通常の１系のみからなる交換システムに新たに追加するには、電話網とのインタフェースを実現する回線処理装置を増設すると共に、複数の回線処理装置の各々を制御するために上位制御側の大幅なソフトウェア変更を必要としコスト面で不利となる。
【０００４】
本発明の目的は、低コストにて容易に多重化構成を可能とする電話交換システムを提供することである。
【課題を解決するための手段】
【０００５】
本発明による電話交換システムは、多重化された電話網を収容する電話交換システムであり、交換機と、各電話網と該交換機との間に各々接続されて中継処理をなす少なくとも２つの回線処理装置と、を含み、該回線処理装置の各々は、他の回線処理装置における中継処理の動作状態を監視する監視手段と、該動作状態がＯＮ状態であると検知された場合に、自身の中継処理をＯＦＦ状態に切り替える第１切替手段とを含むことを特徴とする。
【発明の効果】
【０００６】
本発明による電話交換システムによれば、多重化された電話網に対応して多重化された回線処理装置が自律的に切替を行う構成が与えられる。これにより、低コストにて容易に多重化構成が可能となる。
【発明を実施するための最良の形態】
【０００７】
本発明の実施例について添付の図面を参照して詳細に説明する。図１は、本発明の実施例を示し、本発明による交換システムを含む全体の構成を示している。該交換システムは、二重化された電話網３０ａ及び電話網３０ｂを収容し、これらの各々に対応して二重化された０系としての回線処理装置１０ａと１系としての回線処理装置１０ｂを備える。回線処理装置１０ａ及び回線処理装置１０ｂの両方は同一の構成を有する。また、回線処理装置１０ａ及び回線処理装置１０ｂは共に、電話交換機能を備える交換機７０にデータバス４０を介して繋がれている。
【０００８】
定常的には、回線処理装置１０ａ及び１０ｂのうちの何れか１つが「選択系」として選択され、他の１つが「非選択系」に選択される。ここで、「選択系」とは、動作状態がＯＮ状態に設定される系を意味し、「運用系」又は「アクティブ系」とも称し得る。一方、「非選択系」とは、動作状態がＯＦＦ状態に設定される系を意味し、「待機系」又は「スタンバイ系」とも称し得る。
【０００９】
上位制御部１００は、交換システム全体の制御を司り、回線処理装置１０ａ及び１０ｂに向けて、立ち上げ時または試験時の非定常時に系間の切替禁止指示をなす制御信号を送信すると共に、回線処理装置１０ａ及び１０ｂからは「選択系」であるか「非選択系」であるかの状態信号を受け取り、各系の状態を認識する機能を有する。
【００１０】
図２は、図１に示された回線処理装置のより詳細の構成を示している。ここで、回線処理装置１０は、図１に示された回線処理装置１０ａ及び１０ｂの構成を代表して示している。電話網３０との間で送受信される電話信号は、電話網３０とのインタフェースを司る回線処理回路１１で処理され、データバス制御回路１２との間で入出力される。回線処理回路１１は、また、電話信号に多重されている系情報信号を電話網３０から取り込み、他系の回線処理回路（図示せず）との間で交換する機能を有する。系情報信号には、現在時点で運用に供されている「選択系」が０系又は１系の何れであるかを示す情報と共に、回線処理装置１０自体に対して「選択系」への切替を指示する制御信号を含む。
【００１１】
データバス制御回路１２は、データバス４０に対するデータバス監視及びタイミング調整を行って、電話信号をドライバ１５及び１６を介してデータバス４０との間で入出力する。ドライバ１５及び１６のドライブ動作は、二重化制御回路２０からの系選択結果としてのドライバ制御信号に従って制御される。
【００１２】
制御部１３は、ＣＰＵ及び制御ソフトウェアで構成され、上位制御部１００からの指令に基づいて回線処理装置１０全体の制御を行う。制御部１３は、特に、上位制御部１００からの指令に基づいて、二重化制御回路２０に対して「系切替禁止」又は「系切替禁止解除」の状態を設定すると共に、二重化制御回路２０から「選択系」又は「非選択系」の状態情報を取り込み、これを上位制御部１００に通知する機能を有する。
【００１３】
二重化制御回路２０は、制御部情報保持回路２１と、系選択回路２２と、他系情報前保持回路２３と、他系情報保持回路２４と、他系情報監視回路２５、自系情報生成回路２６とから構成される。回路制御部情報保持回路２１は、自系切替禁止レジスタＲ１を保持する。自系切替禁止レジスタＲ１の内容は、制御部１３からの設定により、「系切替禁止」又は「系切替禁止解除」の何れかの状態に設定される。自系切替禁止レジスタＲ１の内容は、系選択回路２２により参照される
他系情報監視回路２５は、他系から送出される他系情報信号を監視する。他系情報信号は、データバス４０のクロックに同期し、複数のフレームから構成されるシリアルデータである（図３Ａ参照）。他系情報監視回路２５は、他系情報信号のフレーム長の監視を行うと共に、該フレームに載せられたテスト監視パターンの監視を行う。他系情報前保持回路２３は、他系情報信号を取り込み、これを保持するレジスタ（図示せず）を有する。他系情報監視回路２５におけるテスト監視パターンの監視結果が正常と判断された時、他系情報信号は他系情報保持回路２４に入力される。他系情報保持回路２４は、他系情報信号の内容を他系選択レジスタＲ４及び他系切替禁止レジスタＲ５に設定する。
【００１４】
系選択回路２２は、自系選択レジスタＲ２、バス制御レジスタＲ３を有する。系選択回路２２は、系情報信号、自系切替禁止レジスタＲ１、他系選択レジスタＲ４及び他系切替禁止レジスタＲ５の内容に従って、自身の回線処理装置１０を「選択系」とするか「非選択系」とする選択を行う機能を有する。該選択処理の結果は、自系選択レジスタＲ２及びバス制御レジスタＲ３に設定される。さらに、系選択回路２２は、バス制御レジスタＲ３の内容に従ってドライバ制御信号を生成してドライバ１５に入力する。
【００１５】
自系情報生成回路２６は、自系切替禁止レジスタＲ１及び自系選択レジスタＲ２の内容を基にして自系情報信号を生成して他系に送出する。
【００１６】
図３Ａは、他系に送出される他系情報信号の構成を示している。他系情報信号は、これを受け取る系にとって他の系の状態情報を含むことから他系情報信号と称している。従って、これを生成し他の系に送る系にとっては、自身の系に状態情報であることから自系情報信号と称される。
【００１７】
図示される他系情報信号は、一定のクロックに同期するフレームと、該フレームにて搬送されるデータとから構成される。該クロックは、データバスより供給されるクロックに従うために、二重化される２つの回線処理装置間においてクロック同期及びフレーム同期がなされる。
【００１８】
フレーム内のデータは、他系切替禁止情報Ｄ１と、他系選択情報Ｄ２と、他系情報信号の伝達の正常性を確認するためのデータ監視パターンＤ３とからなる。他系情報信号を生成し他の系に送る系においては、自身の系における状態情報として、自系切替禁止レジスタＲ１の内容が他系切替禁止情報Ｄ１に設定され、自系選択レジスタＲ２の内容が他系選択情報Ｄ２に設定される。一方、これを受け取る系においては、データ監視パターンＤ３が正常に受信された場合に、他系切替禁止情報Ｄ１が二重化制御回路２０（図２参照）における他系切替禁止レジスタＲ５に、他系選択情報Ｄ２が他系選択レジスタＲ４に各々設定される。
【００１９】
図３Ｂは、他系情報信号の変化に応じて、データバスの制御を行う様子を説明している。図示されるように、系の選択に変化があった場合には、次のフレームタイミングで両系のバス制御レジスタの内容が排他論理和的に「選択系」及び「非選択系」のそれぞれに設定される。
【００２０】
図４は、電源投入又はリセット時の二重化制御回路の動作手順を示している。以降のフローチャートの説明において、図２に示された各構成要素を適宜参照して説明する。
【００２１】
初期状態において、二重化制御回路２０は、制御部１３からの設定信号に基づき、自系切替禁止レジスタＲ１の内容は「切替禁止」に設定する。また、自系選択レジスタＲ２及びバス制御レジスタＲ３の内容を、他系が選択された状態である「非選択系」に設定する（ステップＳ０１）。
【００２２】
ここで、制御部１３より自系切替禁止レジスタＲ１の内容が「切替禁止解除」に更新されたとする（ステップＳ０２）。「切替禁止解除」は上位制御部１００（図１参照）からの指令によりなされる。かかる解除を契機として、二重化制御回路２０は、回線処理回路１１から出力される系情報信号を自系選択レジスタＲ２に取り込み、さらに、自系切替禁止レジスタＲ１が「切替禁止解除」である場合には、系情報信号の内容をバス制御レジスタＲ３に反映する（ステップＳ０３）。
【００２３】
二重化制御回路２０は、自系選択レジスタＲ２の内容を判定する（ステップＳ０４）。自系選択レジスタＲ２の内容が「選択系」であれば、回線処理装置１０は、以後「選択系」として動作する（ステップＳ０５）。ここで、バス制御レジスタＲ３の内容が「非選択系」に更新されていれば、ドライバ制御信号によりドライバ１５が制御され、回線上の電話信号がデータバス４０へ供給される。
【００２４】
一方、自系選択レジスタＲ２の内容が「非選択系」であれば、回線処理装置１０は、以後「非選択系」として動作する（ステップＳ０６）。ここで、バス制御レジスタＲ３の内容が「非選択系」に更新されていれば、ドライバ制御信号によりドライバ１５が制御され、回線上の電話信号のデータバス４０への供給が遮断される。
【００２５】
尚、選択系及び非選択系の何れの場合においても、常に、二重化制御回路２０は、自系切替禁止レジスタＲ１及び自系選択レジスタＲ２の内容から自系情報信号を生成し、他系の回線処理装置に通知する。
【００２６】
図５は、非選択系時の二重化制御回路の動作手順を示している。非選択系として定常的に動作している間においては、二重化制御回路２０は、系情報信号を常に監視し（ステップＳ１１）、系情報信号を判定する（ステップＳ１２）。もし系情報信号に自系を「選択系」とする変化があると、二重化制御回路２０は、他系情報保持回路２４に含まれる他系切替禁止情報レジスタＲ５の内容が「切替禁止解除」である場合には、自系選択レジスタＲ２の内容を「選択系」に更新する（ステップＳ１３）。他系切替禁止情報レジスタＲ５の内容が「切替禁止」である場合には、二重化制御回路２０は自系選択レジスタＲ２の内容を「非選択系」のまま保持し、「切替禁止解除」となるのを待つ。
【００２７】
自系選択レジスタＲ２の内容が「選択系」に更新されたことを契機として、二重化制御回路２０は、自系切替禁止レジスタＲ１の内容が「切替禁止解除」である場合には、バス制御レジスタＲ３を次のフレームタイミングで「選択系」に更新する（ステップＳ１４）。これにより、ドライバ制御信号によりドライバ１５が制御され、回線上の電話信号がデータバス４０へ供給される。
【００２８】
図６は、選択系時の二重化制御回路の動作手順を示している。選択系として定常的に動作している間にあっては、二重化制御回路２０は、回線処理回路１１から供給される系情報信号を参照しない。他系情報信号により通知される内容により自系の状態を更新する。
【００２９】
二重化制御回路２０は、他系からの他系情報信号を監視し（ステップＳ２１）、他系情報信号を他系情報前保持回路２３に保持する（ステップＳ２２）。次いで、他系情報信号に含まれるデータ監視パターン（図３参照）を判定する（ステップＳ２３）。もし、異常の場合は、二重化制御回路２０は他系情報保持回路２４の内容を更新せず、前の内容を維持し、ステップＳ２１の監視を継続する。一方、正常の場合には、二重化制御回路２０は保持していた該他系情報信号を他系情報保持回路２４に保持する（ステップＳ２４）。ここで、該他系情報信号は、他系切替禁止レジスタＲ５及び他系選択レジスタＲ４に設定される。
【００３０】
次に、二重化制御回路２０は、他系情報信号レジスタＲ４の内容を判定する（ステップＳ２５）。「非選択系」から「選択系」に更新されたことが判定されれば、二重化制御回路２０は、他系切替禁止レジスタＲ５の内容が「切替禁止解除」である場合には、自系選択レジスタＲ２を「選択系」から「非選択系」へ更新する（ステップＳ２６）。他系切替禁止情報レジスタＲ５の内容が「切替禁止」である場合には、二重化制御回路２０は自系選択レジスタＲ２の内容を「選択系」のまま保持し、「切替禁止解除」となるのを待つ。
【００３１】
自系選択レジスタＲ２が「非選択系」へ更新されたことを契機として、二重化制御回路２０は、自系切替禁止レジスタＲ１の内容が「切替禁止解除」である場合には、バス制御レジスタＲ３の内容を「非選択系」に次のフレームタイミングで更新する（ステップＳ２７）。これにより、ドライバ制御信号によりドライバ１５が制御され、回線上の電話信号のデータバス４０への供給が遮断される。
【００３２】
以上の実施例から明らかなように、本発明の交換システムにおいては、二重化された回線処理装置が上位の制御部から他律的に切替制御される構成とは異なり、二重化された回線処理装置自体が自律的に切替を行う。選択系への切替は、電話網からもたらされる系情報信号を契機としてなされ、非選択系への切替は、選択系に切り替えられる他の回線処理装置から送出される他系情報信号を契機としてなされる。これにより、一重化を前提としていた上位の制御部について大幅なソフトウェア変更をなすことなく、二重化制御が可能となる。
【産業上の利用可能性】
【００３３】
本発明による電話交換システムは、ＡＴＭ（Asynchronous Transfer Mode）交換システムに適用し得る。また、二重化された電話網のみならず、３つ以上に多重化された電話網を収容する場合にも適用され得る。
【図面の簡単な説明】
【００３４】
【図１】本発明の実施例を示し、交換システムを含む全体の構成を示しているブロック図である。
【図２】図１に示された二重化制御回路のより詳細の構成を示しているブロック図である。
【図３Ａ】自系の切替禁止状態及び選択状態を示す情報として、他系に送出される他系情報信号の構成を示している説明図である。
【図３Ｂ】他系情報信号の変化に応じて、データバスの制御を行う様子を説明している説明図である。
【図４】電源投入又はリセット時の二重化制御回路の動作手順を示しているフローチャートである。
【図５】非選択系時の二重化制御回路の動作手順を示しているフローチャートである。
【図６】選択系時の二重化制御回路の動作手順を示しているフローチャートである。
【符号の説明】
【００３５】
１０、１０ａ、１０ｂ  回線処理装置
１１  回線処理回路
１２  データバス制御回路
１３  制御部
１５、１６  ドライバ
２０  二重化制御回路
２１  制御部情報保持回路
２２  系選択回路
２３  他系情報前保持回路
２４  他系情報保持回路
２５  他系情報監視回路
２６  自系情報生成回路
３０、３０ａ、３０ｂ  電話網
４０  データバス
７０  交換機
１００  上位制御部
Ｒ１  自系切替禁止レジスタ
Ｒ２  自系選択レジスタ
Ｒ３  バス制御レジスタ
Ｒ４  他系選択レジスタ
Ｒ５  他系切替禁止レジスタ
【図１】
2007060378.tif 000003
【図２】
2007060378.tif 000004
【図３Ａ】
2007060378.tif 000005
【図３Ｂ】
2007060378.tif 000006
【図４】
2007060378.tif 000007
【図５】
2007060378.tif 000008
【図６】
2007060378.tif 000009